【事件の表示】
　平成１１年特許願第１７７３８６号「遊技部材」拒絶査定不服審判事件〔平成１２年　１月２５日出願公開、特開２０００−　２４１７８〕について、次のとおり審決する。
【結　論】
　本件審判の請求は、成り立たない。
【理　由】
１．手続の経緯
　本願は、平成８年１０月４日に出願された特許出願（特願平８−２６４５６３号）の一部が特許法第４４条第１項の規定により平成１１年６月２３日に新たな特許出願とされたものであって、平成１４年５月２４日付で拒絶査定がなされ、これに対し、平成１４年６月２６日に拒絶査定に対する審判請求がなされるとともに、同日付で手続補正がなされたものである。
　　　
２．平成１４年６月２６日付の手続補正についての補正却下の決定
［補正却下の決定の結論］
　平成１４年６月２６日付の手続補正を却下する。
［理由］
（１）補正後の本願発明
　本件補正により、特許請求の範囲の請求項１は、
　「図柄表示装置の液晶画面からなる図柄表示用モニタを覆う遊技部材であって、
　筒体の前面に装飾板を設けてなる有底の装飾部を有しているとともに、その装飾部に内蔵された発光部材が、前方の装飾板と対峙した状態になっており、かつ、装飾板の発光部材側に、文字が凹凸形成されており、
　その凹凸形成部分が、文字をその他の部分より薄肉状としたものであり、なおかつ、その凹凸形成を施した装飾板が、図柄表示用のモニタの上部において、図柄表示用モニタの周囲の部分より前方へ突出した状態になっていることを特徴とする遊技部材。」
と補正された。
　上記補正は、請求項１に記載した発明を特定するために必要な事項である「図柄表示用モニタ」について「液晶画面からなる」との限定を付加し、同じく「装飾板」について「筒体の前面に」「設けてなる」及び「有底の装飾部を有している」との限定を付加し、同じく「図柄表示用モニタの周囲の部分より前方へ突出した状態」について「図柄表示用のモニタの上部において」との限定を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　　　
（２）引用例に記載の発明
　i．原査定の拒絶理由において引用された特開平６−９５６０１号公報（以下「引用例」という。）には、以下の事項が記載されている。
【０００２】【従来の技術】従来、この種の看板用表示体は、１枚の合成樹脂シートに真空成形法等によって所要の凹凸状の表示部を付与しあるいは皿状、浅箱状等の立体形状を付与した成形板をもって表示板とし、これを光源が取付けられた主として金属製の周囲枠体の両面に取付けて、所望の立方体形状等に製作されたものが多く用いられている。
【００１５】成形用金型（３）（４）は、クランパー（６）（７）の内側において樹脂シート（１）（２）を挾み込み、これに所要の賦形を行うものであり、周縁部に対向状に突出したシート挾着部（１０）（１１）を有し、該シート挾着部に囲まれた内側のキャビティーを構成する成形用凹部（１２）（１３）の一方（１２）の内面に、必要に応じて表示体の表示面に凹凸状の文字、記号、図形等からなる表示部を形成するための対応の凹凸部（１２ａ　）が設けられている。
【００２２】上記によって製作された中空成形体（Ａ）は、図３に示すように、前記２枚の合成樹脂シート（１）（２）からなる椀状の成形半体（１ａ）（２ａ）が対向状配置において周縁部を接合部（１８）で接合一体化されたものであり、特に表示面を構成する側の成形半体（１ａ）の正面部に前記金型（３）の凹凸部（１２ａ　）に対応する凹凸状の表示部（２０）を有すると共に、好ましくは取付用基部側の成形半体（２ａ）の中央部に取付部形成用の中空膨隆部（２１）を有するものとなされている。なお、この図示実施例においては、両合成樹脂シート（１）（２）のうち、表示部側の樹脂シート（１）に乳色その他の着色半透明シートを用いる一方、取付基部側の樹脂シート（２）に上記と異色の着色不透明シートを用いて、成形半体（１ａ）側のみを内部照明により明るく照らして表示効果を昂揚するようにした場合を例示するものである。
【００２３】次いで、上気中空成形体（Ａ）を図３に示すように接合部（１８）が存する平面とほぼ平行する平面において切断線（２２）によりその一側縁部を切除する。この切除は、上記取付部形成用の中空膨隆部（２１）において行い、ここに短円筒状の取付部（２３）と取付用開口部（２４）を形成して図４に示すような所期する全体が一体成形された中空状の看板用表示体（Ｂ）を得るものである。
【００２４】而して、上記表示体（Ｂ）は、図４に示すように、金属製の取付基板（２５）に設けた挾着片（２６）に取付部（２３）の周縁部を挾んでビス止め等により固定し、同取付基板（２５）に設けられた照明用光源（２７）を開口部（２４）を通じて表示体（Ｂ）内に位置せしめて、壁面取付用の内部照明式突き出し看板に使用されるものである。もちろん、取付基板（２５）を台座部として立て看板に使用することも可能である。
【００２５】図５は表示体の形状の変形例を示すものである。該表示体（Ｃ）は、壁面に沿わせて取付け使用される所謂壁付け型の大型看板用表示体であり、一方の表示面を構成する成形半体（１ａ）が大きな曲率半径の球面状ないしは皿状のものとして形成され、その正面側の球状面に任意の凹凸状表示部（２０）が形成されると共に、他方の成形半体（２ａ）がその後面周縁部において内方に入り込み、全体として薄型の表示体を構成するものとなされている。その他の構成は前述の実施例の場合と同様であり、相当部分に同一の符号を付して示した。
　ii．前記摘示の記載及び図面によれば、引用例には、以下の発明（以下、「引用発明」という。）が記載されているものと認められる。
　「短円筒状の取付部２３と取付用開口部２４を形成した成形半体２ａの前面に、表示部２０を形成した椀状の成形半体１ａを接合一体化してなる表示体Ｂを有しているとともに、その表示体Ｂに内蔵された照明用光源２７が、前方の成形半体１ａと対峙した状態になっており、かつ、成形半体１ａに、文字、記号、図形等からなる表示部２０が凹凸状にその他の部分と同肉厚として形成されている看板用表示体。」
　　　
（３）本願補正発明と引用発明との対比
　本願補正発明と引用発明とを対比すると、引用発明の「短円筒状の取付部２３と取付用開口部２４を形成してなる成形半体２ａ」、「表示部２０を形成した椀状の成形半体１ａ」、「表示体Ｂ」、「照明用光源２７」及び「文字、記号、図形等からなる表示部２０が凹凸状に形成され」が、それぞれ、本願補正発明前者の「筒体」、「装飾板」、「有底の装飾部」、「発光部材」及び「文字が凹凸形成され」に相当する。
　また、引用発明の「看板用表示体」は、本願補正発明の「遊技部材」と対比して、いずれも「装飾部材」を構成要件とする点において共通する。
　そうすると、本願補正発明と引用発明の両者は、以下の点でそれぞれ、一致ならびに相違するものと認められる。
　一致点
　「筒体の前面に装飾板を設けてなる有底の装飾部を有しているとともに、その装飾部に内蔵された発光部材が、前方の装飾板と対峙した状態になっており、かつ、装飾板に、文字が凹凸形成されている装飾部材。」
　相違点Ａ．筒体の前面に文字が凹凸形成された装飾板を設けてなる有底の装飾部に発光部材を内蔵した装飾部材が、本願補正発明は、図柄表示装置の液晶画面からなる図柄表示用モニタを覆う遊技部材の構成要件として用いられ、その装飾板が、図柄表示用のモニタの上部において、図柄表示用モニタの周囲の部分より前方へ突出した状態になっている構成であるのに対し、引用発明は、看板用表示体として用いられる点。
　相違点Ｂ．文字が凹凸形成される装飾板について、本願補正発明は、装飾板の発光部材側に文字が凹凸形成されており、その凹凸形成部分が文字をその他の部分より薄肉状としたものであるのに対し、引用発明は、発光部材と対峙した装飾板に文字が凹凸形成されているものの、その凹凸形成部分が、文字をその他の部分と同肉厚としたものである点。
　　
（４）相違点の検討判断
　i．相違点Ａについて
　遊技機の技術分野において、図柄表示装置の液晶画面からなる図柄表示用モニタを覆う遊技部材の構成要件として用いられ、その装飾板が、図柄表示用のモニタの上部において、図柄表示用モニタの周囲の部分より前方へ突出した状態になっている装飾部材を備える遊技部材は、周知（例えば、特開平５−３１２３６号公報、実願平５−３５５７８号（実開平７−４５６号）のＣＤ−ＲＯＭ、実願平５−７３０５６号（実開平７−３７２６９号）のＣＤ−ＲＯＭ参照。以下、「周知技術Ａ」という。）である。
　そうすると、引用発明に示される看板用表示体も、筒体の前面に文字が凹凸形成された装飾板を設けてなる有底の装飾部に発光部材を内蔵した装飾部材として用いられ、それが設置される場所において何らかの装飾効果を実現するように機能するものであるから、前記周知技術Ａに示される、遊技機の技術分野における遊技部材において、その装飾効果を実現する装飾部材として前記引用発明を適用し、前記相違点Ａに係る本願補正発明の構成のようにすることは、当業者が容易に想到できるものである。
　ii．相違点Ｂについて
　一般的に、発光部材側に凹凸形成される文字の部分をその他の部分より薄肉状とした装飾板は、周知（例えば、実願昭５５−５５５４号（実開昭５６−１０８１８０号）のマイクロフィルム、実願昭５６−１８８５６０号（実開昭５８−９４０７５号）のマイクロフィルム参照。以下、「周知技術Ｂ」という。）である。
　そうすると、文字が凹凸形成される装飾板について、引用発明に示される、発光部材と対峙した装飾板に凹凸形成される文字の部分をその他の部分と同肉厚とした装飾形成技術に代えて、前記周知技術Ｂに示される、発光部材側に凹凸形成される文字の部分をその他の部分より薄肉状とした装飾形成技術を採用して、前記相違点Ｂに係る本願補正発明の構成のようにすることは、当業者が容易に想到できるものである。
　iii．作用効果について
　本願補正発明の作用効果は、引用発明及び前記周知技術に基づいて当業者が容易に予測できるものである。
　iii．まとめ
　したがって、本願補正発明は、引用発明及び前記周知技術に基づいて、当業者が容易に発明をすることができたものであるから、特許法第２９条第２項の規定により特許出願の際独立して特許を受けることができないものである。
　　　
（５）むすび
　以上のとおり、本件補正は、平成１５年改正前特許法第１７条の２第５項において準用する同法第１２６条第４項の規定に違反するので、特許法第１５９条第１項の規定において読み替えて準用する同法第５３条第１項の規定により却下すべきものである。
　　　　
３．本願発明について
　平成１４年６月２６日付の手続補正は上記のとおり却下されたので、本願の請求項１に係る発明（以下、「本願発明」という。）は、平成１４年５月２日付手続補正書の特許請求の範囲の請求項１に記載された事項により特定される、以下のとおりのものである。
　「図柄表示装置の図柄表示用モニタを覆う遊技部材であって、
　発光部材が内蔵されており、その発光部材の前方に装飾板が設けられているとともに、その装飾板の発光部材側に、文字が凹凸形成されており、
　その凹凸形成部分が、文字をその他の部分より薄肉状としたものであり、かつ、その凹凸形成を施した装飾板が、図柄表示用モニタの周囲の部分より前方へ突出した状態になっていることを特徴とする遊技部材。」
　　　
（１）引用例に記載の発明
　原査定の拒絶の理由において引用された引用例及びその記載事項、並びに認定される引用発明は、上記２の（２）に記載したとおりである。
　　　
（２）対比・判断
　本願発明は、上記２で検討した本願補正発明から「図柄表示用モニタ」の限定事項である「液晶画面からなる」との構成を省き、「装飾板」の限定事項である「筒体の前面に」「設けてなる」及び「有底の装飾部を有している」との構成を省き、「図柄表示用モニタの周囲の部分より前方へ突出した状態」の限定事項である「図柄表示用のモニタの上部において」との構成を省いたものである。
　そうすると、本願発明の構成要件を全て含み、さらに他の構成要件を付加したものに相当する本願補正発明が、上記２の（４）に記載したとおり、引用発明及び周知技術に基づいて当業者が容易に発明をすることができたものであるから、本願発明も、同様の理由により、引用発明及び前記周知技術に基づいて当業者が容易に発明をすることができたものである。
　　　　
（３）むすび
　以上のとおり、本願発明は、引用発明及び周知技術に基づいて当業者が容易に発明をすることができたものであるから、特許法第２９条第２項の規定により特許を受けることができない。
　よって、結論のとおり審決する。